(57)【要約】【課題】下面に粘着マットを備えた転倒防止用固定具を、被固定物の支脚を加工することなく、該支脚に極めて容易に取り付けることができるようにした転倒防止用固定具を提供する。【解決手段】支持板１の下面に粘着マット３を備えさせた転倒防止用固定具において、該支持板の上面には支持枠７を立設し、該支持枠には該支持枠を水平方向に内外に貫通するボルト１１を進退自在に螺合し、該ボルトの先端１１ａを押圧板１７を介して被固定物の支脚９に押圧させることにより該支脚を該押圧板と該支持枠との間に挟持させるようにしたことを特徴とする転倒防止用固定具。【選択図】図１
2008173224.tif 000002
【特許請求の範囲】
【請求項１】
支持板の下面に粘着マットを備えさせた転倒防止用固定具において、
該支持板の上面には支持枠を立設し、該支持枠には該支持枠を水平方向に内外に貫通するボルトを進退自在に螺合し、該ボルトの先端を押圧板を介して被固定物の支脚に押圧させることにより該支脚を該押圧板と該支持枠との間に挟持させるようにしたことを特徴とする転倒防止用固定具。
【請求項２】
前記支持枠は、前記支持板の上面に固定された固定部と該固定部に着脱自在に取り付けられた着脱部とよりなることを特徴とする請求項１に記載の転倒防止用固定具。
【請求項３】
前記支持枠には該支持枠を異なる水平方向に内外に貫通する複数本のボルトを進退自在に螺合したことを特徴とする請求項１又は２に記載の転倒防止用固定具。
【発明の詳細な説明】
【技術分野】
【０００１】
本発明は、物品棚、家具、機械、機器等の支脚を備えた物品（本発明においてはこれらのものを「被固定物」という。）の転倒防止用固定具に関するものであり、被固定物が例えば地震発生時等の衝撃、振動等により転倒することを防止するために、該被固定物を床面等の水平支持面上に固定するようにした転倒防止用固定具に係るものである。
【背景技術】
【０００２】
被固定物を支持する支持板の下面に粘着マットを備えさせた転倒防止用固定具は、本出願人の出願に係る特開２００６−５５３７７号公報により既に開示されている。
【特許文献１】特開２００６−５５３７７号公報
【発明の開示】
【発明が解決しようとする課題】
【０００３】
被固定物の多くは、例えば底面四隅より下方に中空又は中実の支脚を突設している。
【０００４】
上記従来の転倒防止用固定具は、被固定物の本体には取り付け得るものであるが、被固定物の支脚には取り付け難いものである。
【０００５】
その他、下面に粘着マットを備えた転倒防止用固定具であって、被固定物の支脚に好ましく取り付け得るものは存在しない。
【０００６】
下面に粘着マットを備えた転倒防止用固定具を被固定物の支脚に取り付ける際には、該支脚に透孔を穿設し、又は、鉄板ビス等を打ち付けることが一応考えられるが、このような作業は容易ではなく、転倒防止用固定具の取付費用を増大させるおそれがあると共に、被固定物の支脚を傷めることになる。
【０００７】
また、空気中における浮遊微粒子が一定の清浄度レベル以下に管理されるクリーンルーム内において、被固定物の支脚に透孔を穿設し、又は、該支脚に鉄板ビス等を打ち付ける作業は避けなければならない。
【０００８】
以上の如き状況に鑑み、本発明は、下面に粘着マットを備えた転倒防止用固定具を、被固定物の支脚を加工することなく、該支脚に極めて容易に取り付けることができるようにした転倒防止用固定具を提供しようとしてなされたものである。
【課題を解決するための手段】
【０００９】
上記課題を解決するために、本発明は、下記の転倒防止用固定具を提供する。
【００１０】
（１）支持板の下面に粘着マットを備えさせた転倒防止用固定具において、
該支持板の上面には支持枠を立設し、該支持枠には該支持枠を水平方向に内外に貫通するボルトを進退自在に螺合し、該ボルトの先端を押圧板を介して被固定物の支脚に押圧させることにより該支脚を該押圧板と該支持枠との間に挟持させるようにしたことを特徴とする転倒防止用固定具（請求項１）。
【００１１】
（２）前記支持枠は、前記支持板の上面に固定された固定部と該固定部に着脱自在に取り付けられた着脱部とよりなる（請求項２）。
【００１２】
（３）前記支持枠には該支持枠を異なる水平方向に内外に貫通する複数本のボルトを進退自在に螺合する（請求項３）。
【発明の効果】
【００１３】
［請求項１の発明］
被固定物の支脚を押圧板と支持枠との間に挟持させるようにしたため、該支脚に透孔を穿設し、又は、鉄板ビス等を打ち付ける等の加工を施す必要がない。従って、転倒防止用固定具を極めて容易に、かつ、被固定物の支脚に傷を付けることなく該支脚に固定することができ、転倒防止用固定具の取付費用も軽減される。
【００１４】
また、被固定物の支脚を加工する必要がないため、クリーンルーム内においても、転倒防止用固定具を支障なく被固定物の支脚に取り付けることができる。
【００１５】
なお、支持板の下面に粘着マットを備えさせているため、被固定物を固定する床面等の水平支持面に傷が付かないことはいうまでもない。
【００１６】
［請求項２の発明］
転倒防止用固定具を被固定物の支脚に取り付ける際には、支持枠の着脱部を固定部から一旦取り外した状態で該支脚の下端と床面等の水平支持面との間に支持板を位置させた後、該着脱部を固定部に取り付け、ボルトの先端を押圧板を介して被固定物の支脚に押圧させることにより該支脚を該押圧板と該支持枠との間に挟持させることができる。従って、転倒防止用固定具の支持板を支脚の下側に入れるために被固定物をその支脚の下端が支持枠の上縁よりも高くなるように持ち上げる必要がない。
【００１７】
また、転倒防止用固定具を被固定物の支脚から取り外す際にも、支持枠の着脱部を固定部から取り外すことにより、被固定物をその支脚の下端が支持枠の上縁よりも高くなるように持ち上げる必要がなくなる。
【００１８】
以上により、被固定物の支脚に対する転倒防止用固定具の取り付け作業と取り外し作業が容易になる。
【００１９】
［請求項３の発明］
複数本のボルトの先端を押圧板を介して異なる方向から被固定物の支脚に押圧させることができる。従って、被固定物の支脚が略角柱状体、略角筒状体等であっても、該支脚を押圧板と支持枠との間に確実に挟持させることができる。
【発明を実施するための最良の形態】
【００２０】
符号１に示すものは支持板である。
【００２１】
支持板１の下面に粘着マット３を備えさせる。粘着マット３は、床面等の水平支持面５に粘着する。
【００２２】
粘着マット３は、一例として、粘着性を備えたゲル状の超軟質ウレタンにより形成された板状片とする。
【００２３】
支持板１の上面には支持枠７を立設する。支持枠７は、被固定物の支脚９の形状等に応じて種々の形状等を備える。
【００２４】
被固定物の支脚９は、例えば、円筒状、円柱状、略四角筒状、略四角柱状等の形状を備えている。
【００２５】
支持枠７には該支持枠７を水平方向に内外に貫通するボルト１１を進退自在に螺合する。すなわち、支持枠７にはボルト１１の雄ねじ１３に対応する水平方向の雌ねじ１５を形成し、ボルト１１の雄ねじ１３を支持枠７の雌ねじ１５に螺合させる。
【００２６】
ボルト１１の先端１１ａを押圧板１７を介して被固定物の支脚９に押圧させることにより、該支脚９を押圧板１７と支持枠７との間に強力に挟持させるようになす。
【００２７】
押圧板１７は、被固定物の支脚９に対応する形状を備えている。
【００２８】
例えば、円筒状の支脚９の場合には、押圧板１７は円弧状をなす（図１〜図４参照）。また、略四角柱状又は略四角筒状の支脚９の場合には、押圧板１７は略Ｌ字状をなす（図５参照）。
【００２９】
図１〜図３に示す事例においては、支持枠７は、前記支持板１の上面に固定された固定部７ａと該固定部７ａに着脱自在に取り付けられた着脱部７ｂとよりなる。
【００３０】
すなわち、着脱部７ｂは、ボルト１９、１９により、固定部７ａに着脱自在に取り付けられている。この事例においては、支持枠７を水平方向に内外に貫通する前記ボルト１１は、着脱部７ｂに取り付けられている。
【００３１】
図５に示す事例においては、支持枠７には該支持枠７を異なる水平方向に内外に貫通する複数本のボルト１１、１１・・・を進退自在に螺合している。
【００３２】
図５に示す事例においては、被固定物の支脚９は略四角柱状又は略四角筒状をなしており、支持枠７も略四角筒状をなしている。支持枠７には該支持枠７の隣り合う二つの辺７ｃ、７ｄを水平方向に内外に貫通する２本のボルト１１、１１を進退自在に螺合している。押圧板１７は略Ｌ字状をなしている。
【図面の簡単な説明】
【００３３】
【図１】本発明による転倒防止用固定具の一例を示す斜視図である。
【図２】同上転倒防止用固定具の平面図である。
【図３】同上転倒防止用固定具の断面図である。
【図４】被固定物の支脚とボルトと押圧板とを示す平面図である。
【図５】本発明による転倒防止用固定具の別の一例を示す平面図である。
【符号の説明】
【００３４】
１  支持板
３  粘着マット
５  水平支持面
７  支持枠
７ａ  固定部
７ｂ  着脱部
７ｃ  辺
７ｄ  辺
９  被固定物の支脚
１１  ボルト
１１ａ  先端
１３  雄ねじ
１５  雌ねじ
１７  押圧板
１９  ボルト
【図１】
2008173224.tif 000003
【図２】
2008173224.tif 000004
【図３】
2008173224.tif 000005
【図４】
2008173224.tif 000006
【図５】
2008173224.tif 000007